(57)【特許請求の範囲】
【請求項１】
システムであって、
網膜操作流体を第１チャネルを通して眼に注入し、前記眼から第２チャネルを通して流体を抽出するように適合される注入及び抽出システムであって、前記第１チャネルが、前記第２チャネルを越えて遠位に延在し、該第１チャネルと前記第２チャネルとの間に環状開口を形成する、注入及び抽出システムと、
流体の抽出を容易にするために、前記注入及び抽出システムに陰圧を適用するように適合される流体抽出システムと、
前記流体抽出システムによって適用された前記陰圧を調節するように適合されるコンピュータシステムと、
網膜外科手術を受ける眼の形状を維持するために、輸液を注入するように適合される輸液システムと、を備える、システム。
【請求項２】
前記コンピュータシステムが、前記眼の眼内圧に基づき前記陰圧を調節するように適合される、請求項１に記載のシステム。
【請求項３】
前記コンピュータシステムが、前記注入及び抽出システムを通して前記網膜操作流体の注入を制御するようにさらに適合される、請求項１に記載のシステム。
【請求項４】
流体加圧システムをさらに備え、前記流体加圧システムが、前記網膜操作流体を注入するために、陽圧を適用するように前記コンピュータシステムによって制御可能である、請求項３に記載のシステム。
【請求項５】
前記第１のチャネルが、前記第２のチャネルが抽出する流体よりも高い比重を有する流体を注入するように適合される、請求項１に記載のシステム。
【請求項６】
前記第１のチャネルが、前記第２のチャネルの内側にある、請求項１に記載のシステム。
【請求項７】
前記第２のチャネルが、医療機器を眼の中に導入するためのカニューレとして機能する、請求項６に記載のシステム。
【請求項８】
前記注入及び抽出システムが、前記第１のチャネルが通過し、前記第２のチャネルが係合する本体を備える、請求項１に記載のシステム。
【請求項９】
前記本体が、前記第２のチャネルを通って抽出される流体が流入する空洞を備える、請求項８に記載のシステム。
【請求項１０】
注入のための第１のチャネルと、眼から流体を抽出するための第２のチャネルとを含む注入及び抽出システムであって、前記第１チャネルが、前記第２チャネルを越えて遠位に延在し、該第１チャネルと前記第２チャネルとの間に環状開口を形成する、注入及び抽出システムを通じた、前記眼への網膜操作流体の注入をコンピュータに制御させるための第１のプログラムと、
前記眼からの流体の抽出を容易にするための前記注入及び抽出システムへの陰圧の適用を前記コンピュータに制御させるための第２のプログラムと
を記憶したコンピュータ可読媒体。
【請求項１１】
前記第２のプログラムが、眼内圧測定に基づき前記陰圧の適用を前記コンピュータに制御させるためのプログラムである、請求項１０に記載のコンピュータ可読媒体製品。
【請求項１２】
前記第１のプログラムが、前記網膜操作流体を注入するために陽圧を適用する流体加圧システムを前記コンピュータに制御させるためのプログラムである、請求項１０に記載のコンピュータ可読媒体。
【発明の詳細な説明】
【技術分野】
【０００１】
本開示は、眼の外科手術、より具体的には、患者の網膜に対する外科手術に関する。
【背景技術】
【０００２】
ヒトの眼は、簡単に言えば、角膜と呼ばれる透明な外側部分を通して光を透過し、屈折させ、網膜と呼ばれる内側表面を覆う感光性組織上にレンズを経由して像を収束させることによって視力を提供するように機能する。収束された像の質は、眼の大きさ、形状、および長さ、ならびに角膜およびレンズの形状ならびに透明度を含む、多くの要因に依存する。
【０００３】
残念ながら、外傷、年齢、または疾患によって網膜がその支持組織からはがれる場合があり、これは網膜剥離と呼ばれることが多い。網膜剥離は、重度の近視を有するものによく見られるが、眼に対する物理的外傷、白内障手術、または糖尿病性網膜症の結果としても生じる場合がある。初期の剥離は局所的であり得るが、迅速に処置をしないと、網膜全体が剥離する可能性があり、視力喪失および失明をもたらす。
【発明の概要】
【０００４】
一般的な一実装形態では、網膜外科手術のプロセスは、注入／抽出システムを通して網膜操作流体を眼に注入することと、眼から流体を抽出するのを容易にするために、陰圧を注入／抽出システムに適用することとを含み得る。注入／抽出システムは、例えば、内側孔用のポートを有する２重孔カニューレであり得る。プロセスは、コンピュータシステムを介して、適用される陰圧を調節することも含み得る。
【０００５】
適用される陰圧は、例えば、眼の眼内圧（本明細書において互換的に「ＩＯＰ」と称される）に基づき調節され得る。いくつかの実装形態は、ＩＯＰを測定することも含み得る。ある実装形態では、プロセスは、眼の形状を維持するために、流体を注入することを含み得る。
【０００６】
注入／抽出システムを通した網膜操作流体の注入は、例えば、コンピュータシステムを介して制御され得る。コンピュータシステムは、例えば、網膜操作流体を注入するために、陽圧を適用するための流体加圧システムを制御することができる。
【０００７】
ある実装形態では、注入／抽出システムを通して網膜操作流体を注入することが、第１のチャネルを通して網膜操作流体を注入することを含み得、眼から流体を抽出することが、第２のチャネルを通して流体を抽出することを含み得る。抽出された流体は、例えば、第１のチャネルの周囲で抽出され得る。第２のチャネルは、例えば、医療機器を眼の中に導入するためのカニューレとして機能することができる。いくつかの実装形態では、網膜操作流体は、第１のチャネル内にある間、注入／抽出システムの内部空洞を通過することができる。特定の実装形態では、抽出された流体は、第２のチャネルを通過した後に空洞に入る。
【０００８】
様々な実装形態は、１つ以上の特徴を含み得る。例えば、外科手術を受ける眼の圧力を監視し、注入／抽出システムを通して流体の抽出を調節することができることによって、眼内の適切な圧力を得ることができる。眼圧が非常に低くなると、眼は凹み、眼圧が非常に高くなると、眼への血液が絶たれる可能性がある。別の例として、ある実装形態では、大きな孔が注入／抽出デバイスに利用可能であってよく、これは、より多くの流体を、ジェット作用を低減することができる低圧降下で注入することを可能にすることができる。
【０００９】
様々な実装形態の詳細および特徴は、図面と共に、以下の説明により伝えられる。
【図面の簡単な説明】
【００１０】
【図１】網膜外科手術用の例示的なシステムを図示するブロック図である。
【図２】網膜外科手術用の例示的な外科手術用コンソールを示す。
【図３】網膜外科手術用の例示的な注入／抽出システムを示す。
【図４】網膜外科手術用の例示的なプロセッサを図示する流れ図である。
【図５】網膜外科手術用の例示的なコンピュータシステムを図示するブロック図である。
【発明を実施するための形態】
【００１１】
図１は、網膜外科手術用の例示的なシステム１００を図示する。システム１００は、流体輸液システム１１０、流体注入／抽出システム１２０、網膜操作流体源１３０、加圧システム１４０、および流体抽出システム１５０を含む。流体輸液システム１１０、加圧システム１４０、および流体抽出システム１５０は、ユーザ入力デバイス１７０からの入力を受信するコンピュータシステム１６０により制御される。システム１００は、眼の形状を維持するための１つの流体と、網膜１８２の操作を補助するための別の流体とを送達することにより、角膜１８６およびレンズ１８４も含む眼１８０の網膜１８２に対して外科手術を行うのを補助するように適合される。一部の眼はレンズを含まないが、これは典型的には、システム１００の動作を妨げるべきではないことに留意する。
【００１２】
流体輸液システム１１０は、眼の形状を維持するために、流体（例えば生理食塩水溶液または空気）を眼１８０に供給するように適合される。いくつかの実装形態では、流体は、約０〜３．９ｐｓｉで眼１８０に注入され得るが、最大１５ｐｓｉの圧力が可能であり得る。輸液流体は、例えばシリコーンチューブおよび眼のプローブ（例えば輸液カニューレ）を含み得るチャネル１１２を通して眼１８０に送達され得る。典型的には、眼が着実に流体を失うため（例えば切開により）、輸液流体は外科手術を通して送達される。輸液システム１１０は、コンピュータシステム１６０と共にローカルコンピュータシステムにより管理され得るポンプおよび流体源を含み得る。ローカルコンピュータシステムは、例えばコントローラプリント回路基板であり得る。ある実装形態では、流体輸液システム１１０は、外科手術用コンソールの流体工学モジュールのサブシステムであり得る。
【００１３】
流体輸液システム１１０は、眼１８０の眼内圧を測定するようにも適合され得る。例えば、輸液システム１１０は、眼１８０への流体流を測定し、チャネル１１２における圧力降下を決定することができる。流体流の測定は、例えば、非侵襲性の超音波技術を用いて（例えば圧電結晶を用いることにより）達成され得る。ＩＯＰは、現時点で測定された輸液流速での、注入圧力−チャネル１１２における圧力降下であり得る。圧力はコンピュータシステム１６０に報告され得る。いくつかの実装形態では、ＩＯＰを測定するために、圧力変換器が眼の中に直接挿入され得る。
【００１４】
注入／抽出システム１２０は、眼１８０に網膜操作流体１３０を注入し、他の流体（例えば生理食塩水溶液）を抽出するように適合される。網膜操作流体１３０は、例えば、比較的高い比重を有し、したがって、網膜１８２に沈むことができる。網膜１８２が剥離される場合、網膜操作流体は、修復され得る眼１８０の後ろに向かって網膜１８２を移動させる（例えば表面張力により）ことができる。高い比重を有する例示的な流体は、パーフルオロカーボンである。比較的高い比重の流体は、その時点で抽出され得る、低い比重の流体（例えば生理食塩水溶液）を上昇させることもできる。特定の実装形態では、注入／抽出システム１２０は、２重孔カニューレであってよく、これは以下により詳細に説明される。網膜操作流体１３０は、例えば、バイアルに保存され、シリンジのような機構を通して加圧され得る。
【００１５】
加圧システム１４０は、網膜操作流体１３０を加圧して、それを注入／抽出システム１２０に送達するように適合される。加圧システム１４０は、例えば、病院空気供給システムまたはタンク（例えば窒素で充填される）を含み得る。加圧システム１４０は、圧力を低下させるための調節器も含み得る。ある実装形態では、圧力は、ユーザ（例えば医師または他の医療専門家）によって制御可能であり得る、１２０ｐｓｉから減少して０〜８０ｐｓｉまで調節され得る。加圧システム１４０からの圧力は、次に、例えば０〜１５ｐｓｉの間の圧力で注入／抽出システム１２０に到達し、０〜３．９ｐｓｉの圧力で眼に送達され得る網膜操作流体を駆動するために使用される。
【００１６】
流体抽出システム１５０は、注入／抽出システム１２０を通して流体を積極的に除去するように適合される。抽出システム１５０は、例えば、ポンプによって生成され得る陰圧を用いることによりこれを達成することができる。抽出された流体は、例えば、外科手術後に廃棄され得る袋に保存され得る。ある実装形態では、流体抽出システム１５０は、外科手術用コンソールの流体工学モジュールのサブシステムであり得る。
【００１７】
コンピュータシステム１６０は、システム１００を制御するように適合される。コンピュータシステム１６０は、例えばプロセッサが動作するデータおよび命令（例えばプログラム）を記憶することができるプロセッサ（例えばマイクロプロセッサまたはマイクロコントローラ）およびメモリ（例えば固体素子および／またはディスク）を含み得る。
【００１８】
ある実装形態では、コンピュータシステム１６０は、システム１００の他の部分用のプログラムを記憶し、個々のモジュールにプログラムをダウンロードすることができる（例えばシステムの起動中）。コンピュータシステム１６０は、データをユーザの出力デバイス（例えば表示モジュール）に送信することができるように、活動（例えば眼内圧）を監視することもできる。
【００１９】
コンピュータシステム１６０は、ユーザ入力デバイス１７０から入力を受信することができる。ユーザ入力デバイス１７０は、例えば、キーボード、キーパッド、ポインティングデバイス（例えばスタイラスもしくはマウス）、またはスイッチ（例えばフットスイッチ）であり得る。１つのユーザ入力デバイスのみが示されるが、コンピュータシステムはいくつかのユーザ入力デバイスを有することができることに留意する。
【００２０】
ある動作モードでは、コンピュータシステム１６０は、外科手術が進むと、流体を眼１８０に注入し始めるために、輸液システム１１０に命令することができる。注入される流体の量は、例えばユーザ（例えば医師）によって確立され得る。輸液システム１１０に関連するコンピュータシステムは、輸液システム１１０からフィードバックを受信し、眼１８０のＩＯＰを決定し、注入される流体の量を調節することができる。例えば、ＩＯＰが減少していると決定される場合、より多くの流体が注入され得る。
【００２１】
コンピュータシステム１６０は、眼１８０に網膜操作流体１３０を注入するために、指示（例えばユーザ入力デバイス１７０から）も受信することができる。コンピュータシステム１６０は、それに応じて加圧システム１４０に圧力を適用するように指示することができ、これにより網膜操作流体１３０を注入／抽出システム１２０に前進させることができる。注入／抽出システム１２０は、網膜操作流体１３０をチャネル１２２に通し、眼１８０に網膜操作流体を注入する。網膜操作流体１３０は、眼の０〜９０パーセントを満たす。
【００２２】
コンピュータシステム１６０は、眼１８０のＩＯＰを監視し、陰圧（例えば吸引）を増加または減少させるように抽出システム１５０に命令することができる。例えば、コンピュータシステム１６０は、輸液システム１１０からのフィードバックに基づきＩＯＰを監視することができる。いくつかの場合では、ＩＯＰが増加する場合、注入／抽出システム１２０を通してより多くの流体を引き込むために、陰圧が増加され得る。一方、ＩＯＰが減少する場合、注入／抽出システム１２０を通してあまり流体を引き込まないために、陰圧が減少され得る。正常なＩＯＰは典型的には１０〜２０ｍｍＨＧであるが、外科手術中のＩＯＰは０〜６０ｍｍＨｇの範囲であり得る。
【００２３】
外科手術中、コンピュータシステム１６０は、眼１８０に注入される網膜操作流体の量を調節するために（例えばユーザ入力デバイス１７０からの指示に基づき）、指示を受信することもできる。コンピュータシステム１６０は、それに応じて網膜操作流体の圧力を調節するために、加圧システム１４０に指示することができる。調節指示は抽出システム１５０にも送信され得る。特定の実装形態では、システム１４０からの圧力が０に調節される場合、抽出システム１５０によりもたらされる圧力も０に設定され得る。
【００２４】
ユーザは、十分な量の網膜操作流体が適用された後に、網膜１８２に他の手順を行うことができる。たとえば、剥離した網膜に関して、医師は、網膜を眼の後ろに固着させるために、網膜にいくつかのレーザーショット（例えば広範囲網膜光凝固）を適用することができる。医師は、網膜を定位置に保持するのを容易にするために、眼に別の流体（例えば空気またはシリコーン油）を挿入することもできる。これらの流体（例えば空気）の一部は、時間とともに（例えば数日、数週間、または数ヶ月）消散し得る。
【００２５】
システム１００は、様々な特徴を有する。例えば、眼１８０のＩＯＰを監視し、注入／抽出システム１２０を通して流体の抽出を調節することができることによって、眼１８０内の所望のＩＯＰを得ることができる。ＩＯＰが非常に低くなると、眼は凹み、ＩＯＰが非常に高くなると、眼への血液が絶たれる可能性がある。既存の２重孔カニューレは、網膜操作流体の注入中、流体を一掃するために、眼１８０内の圧力と大気圧との間の圧力差に依存し、これは、カニューレが受動的に一掃できる流速より非常に速く送達することができるため、ＩＯＰに有害な増加をもたらす可能性がある。さらに、それらは、ＩＯＰを維持するために、いくつかのシステムに関して輸液ラインを上に向かって流体を逆運転させることができるが、これは、輸液チャネルが閉塞される場合、失敗する可能性があるか、または輸液ラインフィルタの飽和が起こる可能性があり、ＩＯＰの制御を失う結果となる。
【００２６】
図１は、網膜外科手術用のシステムの一実装形態を図示するが、網膜外科手術用の他のシステムは、より少ない、追加の、および／または異なる配列の構成成分を有することができる。例えば、輸液システム１１０、抽出システム１５０、およびコンピュータシステム１６０が、ユニットの一部であり得る。例えば、それらは、例えばＡｌｃｏｎ  Ｌａｂｏｒａｔｏｒｉｅｓ，Ｉｎｃ．（Ｆｏｒｔ  Ｗｏｒｔｈ，ＴＸ）から入手可能なＣｏｎｓｔｅｌｌａｔｉｏｎ（登録商標）Ｖｉｓｉｏｎ  Ｓｙｓｔｅｍなどの硝子体網膜外科手術用コンソールの一部であり得る。別の例として、コンピュータシステム１６０の機能のいくつか（例えば注入／抽出システム１２０に適用される抽出圧を制御する）は、他のコンピュータシステム（例えば流体工学モジュールのコンピュータシステム）により行われ得る。
【００２７】
さらなる例として、システムは、ＩＯＰ測定を行わない、および／または使用しなくてよい。例えば、メモリに記憶された表は、網膜操作流体注入圧に関連する決まった抽出レベルを用いて作製され得る。ある実装形態では、例えば、抽出された流体の量は、注入された網膜操作流体の量とほぼ等しくてよい。
【００２８】
図２は、網膜外科手術用の例示的な外科手術用コンソール２００を図示する。コンソール２００は、コンピュータシステム２０４を備えるハウジング２０２、および、例えば硝子体網膜外科手術手順中のシステム動作および性能に関するデータを示すように動作可能である関連するディスプレイ２０６を含む。ディスプレイ２０６は、コンソールのうちの１つ以上の動作を確立するまたは変更するなどのために、コンソールと連動することもできる。いくつかの場合では、ディスプレイ２０６は、ディスプレイ２０６のスクリーンを触ることにより、コンソールと対話するための触感感知スクリーンを含むことができる。
【００２９】
外科手術用コンソール２００と共に様々なプローブが使用され得る。例えば硝子体切除プローブなどのプローブは、眼組織を解体し、眼から眼組織を吸引するために、コンソール２００に結合され得る。他のプローブは、例えば、眼に流体を導入する、および／または眼から流体を抽出することができる。コンソール２００は、例えば、プローブに電力、空気動力、水力、および／または他の適切な種類の動力を提供することができる。コンソール２００は、供給される動力（例えば外科手術部位への流体の輸液速度および／または外科手術部位からの流体の吸引）を制御する、ならびに１つ以上の患者の生命徴候を監視するように動作可能でもあり得る。
【００３０】
コンソール２００は、硝子体網膜外科手術手順を行うために一緒に使用されるいくつかのシステムも含み得る。例えば、システムは、例えばフットスイッチ２１０、流体工学システム２１２、および空気力学システム２１８といったフットスイッチシステム２０８を含み得る。空気力学システム２１８は、プローブに動力を供給し、制御するように動作可能であり得る。例えば、空気力学システム２１８は、加圧ガスの適用を繰り返し循環させるように動作可能であり得る。いくつかの場合では、空気力学システム２１８は、１分間に１サイクル〜１分間に７，５００サイクルの範囲内、または場合によりさらには１分間に１０，０００サイクル以上の速度で加圧ガスを循環させるように動作可能であり得る。ある実装形態では、循環されるガスは、例えば異なる圧力、異なる速度、および異なる負荷サイクルで適用され得る。プローブは、空気力学システム２１８（例えばカッターの作動を制御するために）介してコンソール２００と連動し得る。流体工学システム２１２は、外科手術手順中に材料を吸引するなどのために、眼に輸液流体および／もしくは洗浄流体、または真空を提供するように動作可能であり得る。外科手術中の異なるシステムの性能を最適化するために、それらの動作パラメータは、例えば行われる特定の手順、手順の異なる段階、医師の個人的な好み、手順が患者の眼の前部分または後部分で行われるか否かなどにより変動し得る。
【００３１】
コンソール２００における異なるシステムは、動作用の制御基盤、ならびにプローブの動作などのコンソール２００によって行われる様々な機能および動作の制御を含み得る。コンピュータシステム２０４は、外科手術手順を適切に行うために、異なるシステム間の対話および関係を管理するように動作可能であり得る。これを行うために、コンピュータシステム２０４は、１つ以上のプロセッサ、１つ以上のメモリデバイスを含み得、例えば予め確立されたプログラムまたはシーケンスに基づき、コンソール２００の動作を制御するように構成されるか、またはそのようにプログラムされ得る。
【００３２】
図３は、網膜外科手術用の例示的な注入／抽出システム３００を図示する。システム３００は、例えばシステム１００のような網膜外科手術システムにおいて使用可能であり得る。
【００３３】
システム３００は、第１のカニューレ３１０および第２のカニューレ３２０を含む。第１のカニューレ３１０は、眼に網膜操作流体を注入するためのチャネルとして機能するように適合される。第１のカニューレ３１０と第２のカニューレ３２０との間に画定される環状領域は、流体が眼から抽出されるチャネル３２５を画定する。
【００３４】
図示される実装形態では、第１のカニューレ３１０は、第２のカニューレ３２０の内側である。加えて、第１のカニューレ３１０は、第２のカニューレ３２０を超えて延在する。網膜操作流体が眼の流体より高い比重のものである場合、網膜操作流体は、眼内の低い位置に沈み、低い比重である事前に存在する眼の流体を上昇させる。結果として、事前に存在する眼の流体はチャネル３２５を介して眼から抽出され得る。第１のカニューレ３１０は、用途により量を変動させることにより、第２のカニューレ３２０より遠くに延在し得る。
【００３５】
いくつかの場合では、第２のカニューレ３２０は、トロカールカニューレであるか、またはそのようなものとして動作し得る。よって、図３の図示される例に示されるように、第２のカニューレ３２０は、眼に設置されるとき、眼の内部と外部との間の通信を提供するように使用される通路を画定する。一般に、トロカールカニューレの通路は、眼の中に材料または機器などの物品を導入するために使用され得る。したがって、第２のカニューレ３２０は、眼の中に第１のカニューレ３１０を導入するために使用され得る。第２のカニューレ３２０は、第２のカニューレ３２０が眼に貫入する量を制限するハブ３２２を含む。
【００３６】
第１のカニューレ３１０および第２のカニューレ３２０は、任意の適切な材料から作製され得る。特定の実装形態では、第１のカニューレ３１０は、ポリイミドから作製され得、第２のカニューレ３２０は、ステンレススチールから作製され得る。第１のカニューレ３１０は、他の材料（例えばステンレススチール）から作製することもでき、第２のカニューレ３２０は、他の材料（例えばポリイミド）から作製することもできる。
【００３７】
システム３００は、本体３３０も含む。本体３３０はチャンバ３３２を含む。仕切り３３５は、チャンバ３３２に形成されるか、またはさもなければそこに配置され得、チャンバ３３２を第１のチャンバ部分３３７と、第２のチャンバ部分３３９に分ける。第１のカニューレ３１０は、仕切り３３５に形成される通路３４１を通って延在する。第２のチャンバ部分３３９に存在する網膜操作流体は、第１のカニューレ３１０を介して眼の中に導入され得る。流体は、第１のカニューレ３１０および第２のカニューレ３２０により画定されるチャネル３２５を介して眼から抽出され得る。抽出された流体は、チャネル３２５および通路３４３を通過し、第１のチャンバ部分３３７に入る。第１のチャンバ部分３３７は、陰圧が第２のカニューレ３２０に適用され得るチューブ３５０につながる通路３３４に結合される。よって、抽出された流体は、チューブ３５０を介して本体３００から排出され得る。本体３３０は、チューブ３５０を係合するための取り付け機構３３６（この実装形態では先細りの環状ボス）も含み得る。チューブ３５０は、ゴム、プラスチック、または任意の他の適切な材料から作製され得る。
【００３８】
本体３３０は、任意の適切な材料から作製され得る。特定の実装形態では、本体３３０は、例えばポリプロピレンなどのプラスチックから作製され得る。特定の実装形態では、本体３３０および第１のカニューレ３１０は、一体型ユニットであり得る。
【００３９】
本体３３０は、スリーブ３４０によって第２のカニューレ３２０に結合される。図示される実装形態では、スリーブ３４０は、第２のカニューレ３２０のハブ３２２の一部と本体３３０のハブ３３８を係合して、結合を達成する。
【００４０】
特定の実装形態では、スリーブ３４０は、第１のカニューレ３１０の挿入深度が調節され得るように可撓性であり得る。例えば、図示される実装形態では、スリーブ３４０は、第１のカニューレ３１０の長手方向軸に沿ってハブ３３８に対して調節され得る。
【００４１】
スリーブ３４０は、任意の適切な材料から作製され得る。ある実装形態では、スリーブ３４０は、弾性チューブ（例えばシリコーンゴム）から作製され得る。
【００４２】
システム３００は、様々な特徴を有する。例えば、第２のカニューレ３２０としてトロカールカニューレを使用することにより、システム３００は、低圧でより多くの流体を抽出することができる大きな抽出孔を有する。加えて、大きな抽出孔は、第１のカニューレ３１０がより大きな孔を有することを可能にし得、これは、より低い圧力降下により高流動にジェット作用を減少させることを可能にする。
【００４３】
図３は、注入／抽出システムの一実装形態を図示するが、他の実装形態は、より少ない、追加の、および／または異なる配列の構成成分を含むことができる。例えば、第２のカニューレ３２０としてトロカールカニューレを使用する代わりに、２重孔カニューレを使用することができる。２重孔カニューレ３２０は、例えばトロカールカニューレを通して眼の中に挿入され得る。
【００４４】
図４は、網膜外科手術のプロセス４００を図示する。プロセス４００は、例えば網膜外科手術の開始時またはその手術中にシステム１００のようなシステムにより実装され得る。
【００４５】
プロセス４００は、所望の眼内圧の決定（動作４０４）を求める。所望のＩＯＰは、ＩＯＰが維持される標的として使用される。所望のＩＯＰの決定は、例えばユーザインターフェースを通してＩＯＰを受信するか、または記憶からそれを呼び出すことにより達成され得る。ＩＯＰは、例えば手順を開始する前にユーザ（例えば医師）によって設定され得る。
【００４６】
プロセス４００は、網膜操作流体を注入するか否かの決定（動作４０８）も求める。網膜操作流体（例えばパーフルオロカーボン）は、例えばユーザの指示（例えば医師から）を受信したときに注入され得る。
【００４７】
網膜操作流体が注入されるべきであると決定されると、プロセス４００は、加圧システムへの指示の生成を求める（動作４１２）。加圧システム（例えば病院空気供給システム）は、注入／抽出システムを通して流体を注入させることができる。指示は、バス、ローカルエリアネットワーク、または他の適切な通信ネットワーク経由で送信され得る。追加の指示は、外科手術中に加圧システムからの圧力を調節することができる。
【００４８】
プロセス４００は、ＩＯＰ測定の呼び出しも求める（動作４１６）。ＩＯＰ測定は、例えば、輸液チャネルにおける圧力降下を決定することにより、または眼の中に挿入されるプローブによって行われ得る。プロセス４００は、ＩＯＰ測定が良好であるか否かの決定を求める（動作４２４）。ＩＯＰは、例えば、所望のＩＯＰのある範囲（例えば１０％）内である場合、良好であり得る。ＩＯＰが良好である場合、プロセス４００は、網膜操作流体の注入の調節を行うべきであるか否かの確認を求める（動作４２０）。調節は、例えば、受信したユーザ指示に基づき行われ得る。
【００４９】
しかしながら、ＩＯＰが良好でない場合、プロセス４００は、流体注入／抽出システムに関する抽出圧の調節を求める（動作４２８）。抽出圧は、例えば測定されたＩＯＰが非常に高い場合増加され、測定されたＩＯＰが非常に低い場合減少され得る。抽出圧は、例えば０〜６５０ｍｍＨｇの範囲であってよく、例えば網膜操作流体がもはや注入されない場合０に設定され得る。プロセス４００は、網膜操作流体の注入に関する調節が行われるべきであるか否かの確認の要求も求める（動作４２０）。調節は、例えば、受信したユーザ指示に基づき行われ得る。
【００５０】
網膜操作流体の注入に関する調節が行われるべきでない場合、プロセス４００は、前のＩＯＰ測定以来更新されたかもしれない、または更新されていないかもしれないＩＯＰ測定の呼び出しを求める（４１６）。網膜操作流体の注入に関する調節が行われるべきである場合、プロセス４００は、加圧システムへの指示の生成を求める（動作４１２）。
【００５１】
図４は、網膜外科手術用のプロセスの一実装形態を図示するが、他のプロセスは、より少ない、追加の、および／または異なる配列の構成成分を含むことができる。例えば、プロセスは、網膜操作流体を注入するか否かの確認を含まなくてもよい。さらに、プロセスは、網膜操作流体の注入さえも含まなくてもよい。別の例として、プロセスは、輸液流体の注入を含み得る。さらなる例として、プロセスは、様々なプローブの操作を求めることができる。さらなる例として、プロセスは、ＩＯＰ測定の使用を求めなくてよい。例えば、網膜操作流体注入圧に関連する決まった抽出レベルを有するメモリに記憶された表が流体抽出を制御するために使用され得る。ある実装形態では、例えば、抽出された流体の量は、注入された網膜操作流体の量とほぼ等しくてよい。
【００５２】
当業者に理解されるように、本開示の態様は、システム、方法、またはコンピュータプログラム製品として実装され得る。したがって、本開示の態様は、本明細書において、概して、全てが「回路」、「モジュール」、または「システム」と称され得る、完全にハードウェア環境、完全にソフトウェア実施形態（ファームウェア、常駐型ソフトウェア、マイクロコード等を含む）、またはソフトウェアとハードウェアの態様を組み合わせた実装形態を取り得る。さらに、本開示の態様は、コンピュータ可読プログラムコードを上に具体化させた１つ以上のコンピュータ可読媒体（複数可）内に具体化されたコンピュータプログラム製品の形態を取り得る。
【００５３】
１つ以上のコンピュータ可読媒体（複数可）の任意の組み合わせが利用され得る。コンピュータ可読媒体は、コンピュータ可読シグナル媒体またはコンピュータ可読記憶媒体であり得る。コンピュータ可読記憶媒体は、例えば、電子、磁気、光学、電磁気、赤外、もしくは半導体のシステム、装置、またはデバイス、あるいは前述の任意の好適な組み合わせであり得るが、これらに限定されない。コンピュータ可読記憶媒体のより具体的な例（非網羅的なリスト）は、次を含むだろう：１つ以上のワイヤを有する電気接続、携帯型コンピュータディスケット、ハードディスク、ランダムアクセスメモリ（ＲＡＭ）、読取専用メモリ（ＲＯＭ）、消去可能なプログラマブル読取専用メモリ（ＥＰＲＯＭまたはフラッシュメモリ）、光ファイバ、携帯型コンパクトディスク読取専用メモリ（ＣＤ−ＲＯＭ）、光学記憶デバイス、磁気記憶デバイス、または前述の任意の好適な組み合わせ。この開示の文脈において、コンピュータ可読記憶媒体は、命令実行システム、装置、またはデバイスによって、もしくはそれに関連して使用するためのプログラムを含む、またはそれを記憶することができる有形媒体であり得る。
【００５４】
コンピュータ可読シグナル媒体は、例えばベースバンドに、または搬送波の一部として、中に具体化されたコンピュータ可読プログラムコードを含む伝搬されたデータシグナルを含み得る。そのような伝搬されたシグナルは、電磁、光学、またはそれらの任意の適切な組み合わせを含むが、これらに限定されない様々な形態のいずれかを取ることができる。コンピュータ可読シグナル媒体は、コンピュータ可読記憶媒体でなく、命令実行システム、装置、またはデバイスによって、もしくはそれに関連して使用するためのプログラムを通信する、伝搬する、または転送することができる任意のコンピュータ可読媒体であり得る。
【００５５】
コンピュータ可読媒体上に具体化されるプログラムコードは、ワイヤレス、有線、光ファイバケーブル、ＲＦ等を含むがこれらに限定されない、任意の媒体、または前述の任意の好適な組み合わせを用いて伝達され得る。
【００５６】
本開示の態様に関する動作を実行するためのコンピュータプログラムコードは、Ｊａｖａ（登録商標）、Ｓｍａｌｌｔａｌｋ、Ｃ＋＋などの１つ以上のプログラミング言語、および「Ｃ」プログラミング言語もしくは類似するプログラミング言語などの従来の手続き型プログラミング言語の任意の組み合わせで書かれ得る。プログラムコードは、完全にユーザのコンピュータ上で、部分的にユーザのコンピュータ上で、独立型ソフトウェアパッケージとして、部分的にユーザのコンピュータ上で、かつ部分的に遠隔コンピュータ上で、または完全に遠隔コンピュータもしくはサーバー上で実行することができる。後者のシナリオでは、遠隔コンピュータは、ローカルエリアネットワーク（ＬＡＮ）、広域ネットワーク（ＷＡＮ）、またはワイヤレスネットワーク（例えばＷｉ−Ｆｉもしくはセル方式）といった任意の種類のネットワークを通じてユーザのコンピュータに接続され得るか、または接続は、外部コンピュータ（例えばインターネットサービスプロバイダを使用するインターネットを通じて）になされ得る。
【００５７】
本開示の態様は、実装形態による方法、装置（システム）、およびコンピュータプログラム製品のフローチャート図および／またはブロック図を参照して説明される。フローチャート図および／またはブロック図の各ブロック、ならびにフローチャート図および／またはブロック図のブロックの組み合わせは、コンピュータプログラム命令により実装され得ることを理解する。これらのコンピュータプログラム命令は、コンピュータのプロセッサまたは他のプログラマブルデータ処理装置を介して実行する命令が、フローチャートおよび／またはブロック図のフロックもしくは複数のブロックに指定される機能／役割を実装するための手段を作り出すための機械を生成する汎用コンピュータ、専用コンピュータ、または他のプログラマブルデータ処理装置のプロセッサに提供され得る。
【００５８】
これらのコンピュータプログラム命令は、コンピュータ可読媒体に記憶された命令が、フローチャートおよび／またはブロック図のフロックもしくは複数のブロックに指定される機能／役割を実装する命令を含む製造物品を製造するように、コンピュータ、他のプログラマブルデータ処理装置、または特定の様式で機能する他のデバイスを指示することができるコンピュータ可読媒体にも記憶され得る。
【００５９】
コンピュータプログラム命令は、コンピュータまたは他のプログラマブル装置上で実行する命令が、フローチャートおよび／またはブロック図のフロックもしくは複数のブロックに指定される機能／役割を実装するためのプロセスを提供するようにコンピュータ実装プロセスを生成するために、一連の動作ステップをコンピュータ、他のプログラマブル装置、または他のデバイス上で行わせる、コンピュータ、他のプログラマブルデータ処理装置、または他のデバイス上にも装填され得る。
【００６０】
図５は、網膜外科手術用の例示的なコンピュータシステム５００を図示する。コンピュータシステム５００は、例えばシステム１００のコンピュータシステム１６０、または別のサブシステムの一部（例えば流体工学モジュール）であるコンピュータシステムに類似してよい。さらに、いくつかの実装形態では、コンピュータシステム５００は、コンソール２００に類似する外科手術用コンソールであり得る。他の場合では、コンピュータシステム５００は、外科手術用コンソールの一部を形成することができる。例えば、いくつかの場合では、コンピュータシステム５００は、例えばコンソール２００のコンピュータシステム２０４などのコンソールのコンピュータシステムの一部を含むか、またはそれを形成することができる。いくつかの実装形態では、コンピュータシステム５００は、いくつかのコンピュータシステム（例えば分散コンピュータシステム）から構成され得る。例示的なコンピュータシステムは図５に示されるが、コンピュータシステムの他の実装形態は、示されるものより少ない、または異なる構成要素を含み得る。
【００６１】
コンピュータシステム５００は、プロセッサ５０２およびメモリ５０４を含む。コンピュータシステム５００は、１つ以上の入力デバイス５０８、およびディスプレイ５１０などの１つ以上の出力デバイスも含み得る。ディスプレイ５１０は、以下により詳細に説明される、ユーザインターフェースまたはアプリケーションインターフェース（集合的に「ユーザインターフェース５１２」と称される）を提示することができる。ユーザは、コンピュータシステム５００の１つ以上の特徴と対話するためのユーザインターフェース５１２と連動することができる。ある実装形態では、ユーザインターフェース５１２はグラフィカルユーザインターフェースであり得る。入力デバイス（複数可）５０８は、キーパッド、タッチスクリーン、ポインティングデバイス（例えば、マウスもしくはスタイラス）、足踏み入力デバイス（例えば、フットスイッチ）、または任意の他の所望される入力デバイスを含み得る。
【００６２】
加えて、コンピュータシステム５００は、動作部分５１４を含む。いくつかの場合では、動作部分５１４は、上述のシステム１００に類似するシステムを含み得る。例えば、動作部分５１４は、注入／抽出システム、流体抽出システム、類似する加圧システム、流体輸液システムのうちの１つ以上を含み得る。注入／抽出システムは、注入／抽出システム１２０に類似し得る。流体抽出システムは、流体抽出システム１５０に類似し得る。加圧システムは加圧システム１４０に類似し得、流体輸液システムは流体輸液システム１１０に類似し得る。
【００６３】
システム５００は、動作部分５１４またはシステム５００の別の部分に含まれるか否かに関わらず、ある量の網膜操作流体も含み得る。他の実装形態では、ある量の網膜操作流体はシステム５００から遠隔にあってよい。さらに、いくつかの実装形態では、動作部分５１４は、硝子体切除プローブ用の動力源、吸引構成要素、洗浄構成要素、ならびに１つ以上のセンサ、ポンプ、バルブおよび／またはプローブを動作するための他の構成要素を含む。プローブ５１６は、インターフェースパネル５１８を介してコンピュータシステム５００の動作部分５１４に結合され、水力、空気動力、および／または電力により供給され得る。いくつかの場合では、プローブ５１６は、硝子体網膜プローブ、流体注入／抽出システム（例えば注入／抽出システム３００）、または任意の他の好適なデバイスであり得る。さらに、いくつかの実装形態では、動作部分５１４は、上述の特徴のいくつかを含むが、その他を含まない。またさらに、動作部分５１４は、本明細書に記載される特徴のうちの１つ以上以外の１つ以上の追加の特徴を含み得る。
【００６４】
プロセッサ５０２は、典型的には、プログラム命令（例えばファームウェアおよび／またはソフトウェアから）の指示によりデータを処理する論理処理ユニット（例えば演算ユニット）を含む。例えば、プロセッサ５０２は、マイクロプロセッサ、マイクロコントローラ、または特定用途集積回路であり得る。一般に、プロセッサ５０２は、論理様式でデータを操作する任意のデバイスであり得る。さらに、プロセッサ５０２は、プロセッサ１６０に類似するか、またはそれに類似するプロセッサを含み得る。プロセッサ５０２は、プログラム５０６、５０７などのプログラムを実行するように動作可能である。よって、プロセッサ５０２は、動作部分５１４、またはプログラム５０６、５０７に提供される命令によりシステム５００の他の態様を動作するように動作可能であり得る。したがって、いくつかの実装形態では、プロセッサ５０２は、上述に類似する様式で、眼への流体の輸液、およびそこからの流体の抽出を制御するように動作可能である。そのようなものとして、動作部分５１４は、眼内の所望のＩＯＰを維持しながら、眼に網膜操作流体を注入するように動作可能であり得る。
【００６５】
メモリ５０４は、流体注入および抽出プログラム５０７といった、１つ以上のプログラム５０６を含む。プログラム５０６は、別個のプログラム、またはより大きなプログラムの一部（例えばサブルーチンもしくはライブラリ）であり得る。メモリ５０４は、動作システム（例えばＷｉｎｄｏｗｓ（登録商標）、Ｌｉｎｕｘ（登録商標）、またはＵｎｉｘ（登録商標））も含み得る。メモリ５０４は、任意のメモリまたはモジュールを含み得、これらに限定されないが、磁気媒体、光学媒体、ランダムアクセスメモリ（ＲＡＭ）、読取専用メモリ（ＲＯＭ）、リムーバブル媒体、またはデータを記憶するための任意の他の好適なローカルもしくは遠隔構成要素といった、揮発性または不揮発性メモリの形態を取ることができる。
【００６６】
プログラム５０６は、注入の制御、または網膜操作流体、および所望のＩＯＰを維持するための陰圧などの注入／抽出技法の態様を動作するための命令を提供することができる。
【００６７】
メモリ５０４は、クラス、フレームワーク、プログラム、バックアップデータ、ジョブ、またはそれらに対する任意のパラメータ、変動要因、アルゴリズム、命令、ルール、もしくは参考資料を含む他の情報も記憶することができる。メモリ５０４は、環境および／もしくはプログラム説明データ、１つ以上のプログラム用のプログラムデータ、ならびにデータ関連仮想施設ネットワーク（ＶＰＮ）プログラムもしくはサービス、ファイアーウォールポリシー、セキュリティーもしくはアクセスログ、プリントもしくは他のリポートファイル、ハイパーテキスト記述言語（ＨＴＭＬ）ファイルもしくはテンプレート、関連もしくは非関連ソフトウェアプログラム、またはサブシステム、およびその他などの他の種類のデータも含む。したがって、メモリ５０４は、プログラム５０７などの１つ以上のプログラムからローカルデータ貯蔵などのデータの貯蔵とも見なされ得る。メモリ５０４は、プログラム５０７などの１つ以上のプログラムによって利用され得るデータも含み得る。
【００６８】
プログラム５０６は、結果または出力を決定するために、１つ以上のアルゴリズムなどにおいて受信したデータを利用するように動作可能である命令を含むプログラムまたはプログラム群を含み得る。決定された結果は、コンピュータシステム５００の態様に影響を及ぼすように使用され得る。上述のように、動作部分５１４は、流体抽出システム１５０に類似する流体抽出システムおよび／または加圧システム１４０に類似する加圧システムを含み得る。さらに、いくつかの実装形態では、動作部分５１４は、追加の、より少ない、または異なる特徴を含み得る。いくつかの場合では、プログラム５０７は、流体抽出システムおよび加圧システムの態様を制御するための命令を含み得る。したがって、いくつかの場合では、プログラム５０７は、例えば注入／抽出システム３００に類似し得る注入／抽出システムの態様を制御するための命令を含み得る。さらに、プログラム５０７は、流体注入／抽出システムの態様を制御するための動作部分５１４に対する１つ以上の調節を決定することができる。例えば、プログラム５０７は、加圧システム１４０などの加圧システムによって網膜操作流体に適用される圧力レベル、または流体抽出システム１５０などの流体抽出システムの真空圧レベルに対する調節をプロセッサ５０２に決定させる命令を提供することができる。そのようなものとして、プログラム５０７は、眼内の所望のＩＯＰを維持しながら、眼に網膜操作流体を注入するなどのために、プロセッサ５０２に動作部分５１４を制御させることができる。調節は、動作部分５１４などのコンピュータシステム５００の１つ以上の構成要素に対する１つ以上の伝達された制御シグナルによって実装され得る。
【００６９】
プロセッサ５０２は、アプリケーション５０６および５０７に含まれる命令などの命令を実行し、コンピュータシステム５００の動作、例えば計算および論理動作を行うためのデータを操作し、例えば中央処理ユニット（ＣＰＵ）、ブレード、特定用途集積回路（ＡＳＩＣ）、またはフィールドプログラマブルゲートアレイ（ＦＰＧＡ）であり得る。
【００７０】
コンピュータシステム５００の構成要素は、それらにそれらの間でデータを通信させるためのネットワークによって一緒に結合され得る。ネットワークは、例えばいくつかの異なる種類のバス（例えばシリアルおよびパラレル）を含み得る。
【００７１】
図５は、コンピュータシステム５００において１つのプロセッサ５０２を図示するが、複数のプロセッサ５０２が特定の必要性により使用され得、プロセッサ５０２への言及は、適用可能な場合、複数のプロセッサ５０２を含むことが意図される。例えば、プロセッサ５０２は、コンピュータシステム５００の様々な構成要素および／またはそれに結合されるデバイスからデータを受信するように適合され、受信したデータを処理し、それに応じて、システム５００の構成要素および／またはそれに結合されるデバイスのうちの１つ以上にデータを伝達することができる。図示される実施形態では、プロセッサ５０２は、網膜外科手術の態様を制御するためのプログラム５０７を実行する。
【００７２】
さらに、プロセッサ５０２は、それに結合される１つ以上の構成要素に制御シグナルを伝達する、またはそれからシグナルを受信することができる。例えば、プロセッサ５０２は、受信したデータに応じて制御シグナルを伝達することができる。いくつかの実装形態では、例えばプロセッサ５０２は、プログラム５０６を実行し、それに応じて、制御システムを動作部分５１４に伝達することができる。
【００７３】
ディスプレイ５１０は、医療従事者（例えば医師）などのユーザに情報を表示する。いくつかの場合では、ディスプレイ５１０は、視覚的に情報を提示するためのモニタであり得る。いくつかの場合では、ディスプレイ５１０は、ディスプレイと入力デバイスの両方として動作することができる。例えば、ディスプレイ５１０は、ユーザによる触覚またはディスプレイとの他の接触がコンピュータシステム５００への入力を生成する触感感知ディスプレイであり得る。ディスプレイ５１０は、ユーザインターフェース５１２を介してユーザに情報を提示することができる。
【００７４】
ユーザインターフェース５１２は、医療従事者などのユーザが、プログラムまたは他のシステム情報を見るためなどの任意の好適な目的のため、コンピュータシステム５００と対話することができるように動作可能なユーザインターフェースを含むことができる。例えば、ユーザインターフェース５１２は、硝子体網膜外科手術手順、プローブ５１６の動作態様、動作部分５１４、またはコンピュータシステム５００の任意の他の所望の態様に関する詳細な情報といった医療手順に関連する情報を提供することができる。
【００７５】
一般に、ユーザインターフェース５１２は、コンピュータシステム５００により受信される、提供される、またはそれ内で通信される情報の効率的かつ利用しやすい提示を特定のユーザに提供することができる。ユーザインターフェース５１２は、ユーザによって動作される対話型フィールド、プルダウンリスト、およびボタンを有する複数のカスタマイズ可能なフレームまたは表示を含むことができる。ユーザインターフェース５１２は、複数のポータルまたはダッシュボードを提示することもできる。例えば、ユーザインターフェース５１２は、ユーザがプローブ５１６に関連するパラメータを入力し、定義することができるインターフェースを表示することができる。
【００７６】
用語ユーザインターフェースは、１つ以上のユーザインターフェースおよび特定のユーザインターフェースのディスプレイのそれぞれを説明するために、単数形または複数形で使用され得ることを理解するべきである。実際、ユーザインターフェース５１２への言及は、本開示の範囲から逸脱することなく、１つ以上のプログラム５０６のフロントエンドまたは構成要素への言及を示し得る。したがって、ユーザインターフェース５１２は、任意のユーザインターフェースを想定する。例えば、いくつかの場合では、ユーザインターフェース５１２は、データを入力し、結果を効率的にユーザに提示するための一般的なウェブブラウザーを含み得る。他の場合では、ユーザインターフェース５１２は、プログラム５０６のうちの１つ以上または他のシステムサービスの様々な特徴を表示する、および／もしくはそれらと対話するためのカスタムまたはカスタマイズ可能なインターフェースを含み得る。
【００７７】
いくつかの実装形態では、コンピュータシステム５００は、ネットワーク５２４を通じて、コンピュータ５２２などの１つ以上のローカルまたは遠隔コンピュータと通信することができる。コンピュータシステム５００は、通信を行うための１つ以上の通信インターフェースを含み得る。通信インターフェースは、例えばネットワークインターフェースカード（ワイヤレスまたはワイヤレスに関わらず）またはモデムであり得る。
【００７８】
ネットワーク５２４は、コンピュータシステム５００と、一般的にはコンピュータシステム５２２などの任意の他のローカルもしくは遠隔コンピュータとの間のワイヤレスおよび／または有線の通信を容易にすることができる。例えば、医療従事者は、プログラム５０６に関連するサービスを含むコンピュータシステム５００の動作に関連する構成、設定、および／または他の態様と対話するために、コンピュータシステム５２２を使用することができる。ネットワーク５２４は、企業または安全なネットワーク全体またはその一部であり得る。別の例では、ネットワーク５２４は、単に、ワイヤおよび／またはワイヤレスリンク上のコンピュータシステム５００とコンピュータ５２２との間のＶＰＮであり得る。例示的なワイヤ列リンクは、ＩＥＥＥ８０２．１１、ＩＥＥＥ８０２．２０、ＷｉＭａｘ、ＺｉｇＢｅｅ、Ｕｌｔｒａ−Ｗｉｄｅｂａｎｄ、およびその他多くを含む。単一の連続ネットワークとして図示されるが、ネットワーク５２４は、ネットワーク５２４のうちの少なくとも一部がコンピュータシステム５００、コンピュータ５２２、および他のデバイス間の通信を容易にすることができる限り、本開示の範囲から逸脱することなく、様々なサブネットまたは仮想ネットワークに論理的に分けることができる。
【００７９】
例えば、コンピュータシステム５００は、別のコンピュータを通じたコンピュータ５２２に通信可能に結合される一方で、１つのサブネットを通じた貯蔵５２６に通信可能に結合され得る。換言すれば、ネットワーク５２４は、様々なコンピュータ構成要素間の通信を容易にするように動作可能である任意の内部または外部ネットワーク、サブネットワーク、またはそれらの組み合わせを包含する。ネットワーク５２４は、ネットワークアドレス間で、例えばインターネットプロトコル（ＩＰ）パケット、フレームリレーフレーム、非同期転送モード（ＡＴＭ）セル、ボイス、ビデオ、データ、および他の好適な情報を通信することができる（集合的にまたは互換的に「情報」と称される）。ネットワーク５２４は、１つ以上の場所での１つ以上のローカルエリアネットワーク（ＬＡＮ）、無線アクセスネットワーク（ＲＡＮ）、メトロポリタンエリアネットワーク（ＭＡＮ）、広域ネットワーク（ＷＡＮ）、インターネットとして知られるグローバルコンピュータネットワークの全てもしくは一部、および／または任意の他の通信システム、もしくは複数のシステムを含み得る。ある実施形態では、ネットワーク５２４は、あるローカルまたは遠隔コンピュータ５２２を介してユーザにアクセス可能な安全なネットワークであり得る。
【００８０】
コンピュータ５２２は、任意の通信リンクを使用して、コンピュータシステム５００またはネットワーク５２４に接続するように、またはそれと通信するように動作可能である任意のコンピュータデバイスであり得る。本開示に使用される、コンピュータ５２２は、パーソナルコンピュータ、タッチスクリーンターミナル、ワークステーション、ネットワークコンピュータ、キオスク、ワイヤレスデータポート、スマートホン、パーソナルデータアシスタント（ＰＤＡ）、これらのもしくは他のデバイス内の１つ以上のプロセッサ、または任意の他の好適な処理デバイスを包含することが意図される。いくつかの場合では、コンピュータ５２２は、コンピュータシステム５００に関連する任意の適切なデータを受信する、伝達する、処理する、および記憶するように動作可能な電子コンピュータデバイスを含み得る。コンピュータ５２２は、ユーザインターフェース５２８を含むか、または実行することもできる。ユーザインターフェース５２８は、ユーザインターフェース５１２に類似し得る。コンピュータシステム５００に通信可能に結合される任意のいくつかのコンピュータ５２２が存在し得ることを理解する。さらに、図示の簡略化のため、コンピュータ５２２は、１人のユーザによって使用される観点から記載される。しかし、本開示は、多くのユーザが１つのコンピュータを使用することができるか、または１人のユーザが複数のコンピュータを使用することができることを想定する。
【００８１】
動作のあるモードでは、１つ以上のプログラム５０６によるプロセッサ５０２は、眼に網膜操作流体を注入するか否かを決定することができる（例えばユーザ入力デバイス５０８を通じた指示の受信時）。網膜操作流体が注入されるべき時点で、プロセッサ５０２は、網膜操作流体を注入させ得る加圧システム（例えば病院空気供給システム）に対する指示を生成することができる。プロセッサ５０２は、ＩＯＰ測定を呼び出し、測定されたＩＯＰが良好であるか否かを決定することもできる。ＩＯＰが良好ではない場合、プロセッサは、流体注入／抽出システムの抽出圧を調節することができる。抽出圧は、例えば測定されたＩＯＰが非常に高い場合増加され、測定されたＩＯＰが非常に低い場合減少され得る。プロセッサ５０２は、上述の様々な他の動作を行うこともできる。
【００８２】
本明細書で使用される用語は、単に特定の実装形態を説明する目的のためであり、制限することが意図されない。本明細書で使用される、単数形「ａ」、［ａｎ」、および「ｔｈｅ」は、文脈が明確に示さない限り、複数形も含むことが意図される。用語「含む（ｃｏｍｐｒｉｓｅｓ）」および／または「含む（ｃｏｍｐｒｉｓｉｎｇ）」は、本明細書で使用されるとき、記載される特徴、整数、ステップ、動作、要素、および／または構成要素の存在を指定するが、１つ以上の他の特徴、整数、ステップ、動作、要素、構成要素および／もしくはそれらの群の存在または追加を除外しないことをさらに理解する。
【００８３】
対応する構造、材料、役割、および以下の請求項における全ての手段またはステップと機能要素の等価物は、具体的に主張される他の請求項の要素と組み合わせて、機能を行うための任意の構造、材料、または役割を含むことが意図される。本実装形態の説明は、図示および説明の目的のために提示されてきたが、開示される形態の実装形態を網羅するまたは制限することが意図されない。多くの修正および変形は、本開示の範囲および趣旨から逸脱することなく、当業者には明らかである。実装形態は、想定される特定の使用に適するように、開示の原理を説明し、実際の用途を説明し、他もしくは当業者が様々な修正と共に様々な実装形態の開示を理解するために選択され、説明された。
【００８４】
いくつかの実装形態が網膜外科手術に関して説明され、その他のいくつかが記述され、提案された。さらに、当業者は、様々な追加、削除、修正、および置換が、網膜外科手術を尚行う一方で、これらの実装形態に行われ得ることを容易に認識する。よって、保護される対象問題の範囲は、１つ以上の実装形態の１つ以上の内容を捕捉する以下の請求項に基づき判断されるべきである。
【図１】
0005933026.tif 000002
【図２】
0005933026.tif 000003
【図３】
0005933026.tif 000004
【図４】
0005933026.tif 000005
【図５】
0005933026.tif 000006